(57)【要約】【課題】一般ユーザでも容易に毛髪を均一な層状として無理に擦過することなく処理剤を供給することができる毛髪処理装置を提供する。【解決手段】部材開閉機構（板バネ部材１４０）で閉止された上側誘導部材１３０の下面１３２または下側誘導部材１２０の上面１２２と複数の毛髪誘導凸部１３１の先端面とが所定間隔を介して対向する。このため、所定間隔を介して離間した複数の毛髪誘導凸部１３１の先端面１３４と上側誘導部材１３０の下面１３２または下側誘導部材１２０の上面１２２とで毛髪が層状に挟持される。従って、トーションスプリングなどにより毛髪が弾発的に挟持されるようなことがないので、処理剤が供給される毛髪の表面が無理に擦過されることを防止できる。【選択図】図１
2012139349.tif 000002
【特許請求の範囲】
【請求項１】
毛髪に処理剤を供給する毛髪処理装置であって、
前記処理剤が収容されている吐出容器が連結される容器連結部材と、
前記容器連結部材から細長形状に中空に形成されていて前記処理剤の吐出口が形成されている下側誘導部材と、
前記下側誘導部材に対向する細長形状に形成されている上側誘導部材と、
前記上側誘導部材の下面と前記下側誘導部材の上面との少なくとも一方に櫛歯状またはブラシ状に形成されている複数の毛髪誘導凸部と、
前記上側誘導部材と前記下側誘導部材とを上下方向に開閉自在に支持する部材開閉機構と、を有し、
前記部材開閉機構で閉止された前記上側誘導部材の下面または前記下側誘導部材の上面と複数の前記毛髪誘導凸部の先端面とが所定間隔を介して対向する毛髪処理装置。
【請求項２】
閉止される前記上側誘導部材と前記下側誘導部材との上下位置を規制する上下規制機構を、さらに有する請求項１に記載の毛髪処理装置。
【請求項３】
上下方向に開閉する前記上側誘導部材と前記下側誘導部材との左右位置を規制する左右規制機構を、さらに有する請求項１または２に記載の毛髪処理装置。
【請求項４】
前記左右規制機構と前記上下規制機構とが一体に形成されている請求項３に記載の毛髪処理装置。
【請求項５】
前記左右規制機構は、
前記上側誘導部材の下面と前記下側誘導部材の上面との一方から突設されている少なくとも一個の左右規制凸部材と、
前記上側誘導部材の下面と前記下側誘導部材の上面との他方から突設されていて前記左右規制凸部材を左右方向から挟持する少なくとも左右一対の凸部挟持部材と、
を有し、
前記左右規制凸部材はスライド自在に前記凸部挟持部材に挟持されている請求項３または４に記載の毛髪処理装置。
【請求項６】
前記左右規制機構は、前記上側誘導部材と前記下側誘導部材との一方の側面から突設されていて他方の側面を左右方向から挟持する左右一対の側面挟持部材を有し、
前記他方の側面はスライド自在に前記側面挟持部材に挟持されている請求項３に記載の毛髪処理装置。
【請求項７】
前記部材開閉機構は、前記上側誘導部材と前記下側誘導部材とを上下方向に弾発的に揺動自在に支持して閉止方向に付勢する板バネ部材からなる請求項１ないし６の何れか一項に記載の毛髪処理装置。
【請求項８】
前記下側誘導部材の上面と前記上側誘導部材の下面とのいずれか一方が凹状に形成されており、
凹状に形成されている前記下側誘導部材の上面と前記上側誘導部材の下面とのいずれか一方に前記所定間隔で対向する凸状に複数の前記毛髪誘導凸部の先端面からなる仮想面が形成されている請求項１ないし７の何れか一項に記載の毛髪処理装置。
【請求項９】
前記下側誘導部材の上面と前記上側誘導部材の下面との一方が半円筒状または多角筒状の凹状に形成されており、
複数の前記毛髪誘導凸部の先端面からなる仮想面が半円筒状または多角筒状の凸状に形成されている請求項８に記載の毛髪処理装置。
【請求項１０】
凹状に形成されている前記下側誘導部材の上面と前記上側誘導部材の下面との一方の前端内面に他方の前端外面が係脱自在に係合する請求項８または９に記載の毛髪処理装置。
【請求項１１】
前記毛髪誘導凸部は、前記上側誘導部材の下面と前記下側誘導部材の上面との両方に形成されており、
前記上側誘導部材の複数の前記毛髪誘導凸部の先端面からなる仮想面が前記下側誘導部材の上面と前記所定間隔を介して対向し、
前記下側誘導部材の複数の前記毛髪誘導凸部の先端面からなる仮想面が前記上側誘導部材の下面と前記所定間隔を介して対向する請求項８ないし１０の何れか一項に記載の毛髪処理装置。
【請求項１２】
前記下側誘導部材の前記毛髪誘導凸部と前記上側誘導部材の前記毛髪誘導凸部とが相対しない位置に形成されている請求項１１に記載の毛髪処理装置。
【請求項１３】
凹状に形成されている前記上側誘導部材の下面に前記毛髪誘導凸部が突設されている請求項１１または１２に記載の毛髪処理装置。
【請求項１４】
凹状に形成されている前記下側誘導部材の上面に前記毛髪誘導凸部が突設されている請求項１１ないし１３の何れか一項に記載の毛髪処理装置。
【請求項１５】
前記下側誘導部材は、上面の所定位置に前記処理剤の吐出口が形成されており、
前記上側誘導部材は、下面の前記吐出口と対向する位置に前後方向に連通する凹溝が形成されている請求項１ないし１４の何れか一項に記載の毛髪処理装置。
【請求項１６】
前記下側誘導部材と前記上側誘導部材との少なくとも一方の前記毛髪誘導凸部より後方の位置に前記毛髪の進入を規制する毛髪規制凸部が形成されている請求項１ないし１５の何れか一項に記載の毛髪処理装置。
【請求項１７】
前記下側誘導部材と前記上側誘導部材との前端が先細形状に形成されている請求項１ないし１６の何れか一項に記載の毛髪処理装置。
【発明の詳細な説明】
【技術分野】
【０００１】
本発明は、毛髪の部分染めなどに利用される毛髪処理装置に関する。
【背景技術】
【０００２】
現在、美容のために毛髪を毛染することが普及しており、毛染用の器具も各種が提供されている。毛髪の全部を一様に毛染する、いわゆる全体染めの場合は、特定部位の毛髪を選択する必要がないため、その作業は比較的容易である。
【０００３】
しかし、毛髪の一部を選択して毛染する、いわゆる部分染めは、作業が比較的煩雑である。例えば、ヘアサロンでは、いわゆるテールコームと呼称される櫛の先細のテール部分で、部分染めする毛髪を層状に頭部から引き出し、その毛髪に刷毛で処理剤を塗布している。
【０００４】
ここで、毛髪を層状に引き出すとは、ひとまとまりの毛髪を、ほぼ等しい厚さの平面状に薄くばらけさせた状態で頭部から選り分けることを意味している。このように、毛髪の表層だけではなく、頭皮に近い内側の毛髪を選択して部分染めすることにより、毛染された内側の毛髪が表層の毛髪を通して観察されることとなり、自然な仕上がり状態に毛髪を染めることができる。
【０００５】
しかし、上述のようなヘアサロンの作業を個人ユーザが自身で実行することは困難である。そこで、このような部分染めを個人ユーザが自身で実行するための専用の器具も発案されている。
【０００６】
例えば、ある毛髪処理装置は、処理剤の吐出容器の口部に装着するノズル部材として形成されている(特許文献１)。そのノズル部材は、処理剤が収容されている吐出容器が連結される容器連結部材を有する。
【０００７】
その容器連結部材から前方に細長形状に中空に形成されている下側誘導部材の上面に処理剤の吐出口が形成されており、下側誘導部材の上面外周に櫛歯状に複数の毛髪誘導凸部が形成されている。
【０００８】
また、下側誘導部材に対向する細長形状に上側誘導部材が形成されており、上側誘導部材が下側誘導部材に開閉自在に軸支されている。その支持軸にはトーションスプリングが巻回されており、このトーションスプリングの弾発力で上側誘導部材が下側誘導部材に圧接されている。
【０００９】
この毛髪処理装置では、トーションスプリングの弾発力により上側誘導部材と下側誘導部材とで毛髪が層状に挟持される。このような状態で吐出容器が押圧されると下側誘導部材の吐出口から処理剤が吐出される。
【００１０】
そこで、毛髪処理装置を毛髪の根本から毛先まで移動させることで、上側誘導部材と下側誘導部材とで層状に挟持されている毛髪に処理剤が供給される。このとき、層状の毛髪は下側誘導部材の毛髪誘導凸部で複数に分離されたまま処理剤が供給されることになる。
【先行技術文献】
【特許文献】
【００１１】
【特許文献１】米国特許公報第２００３／０１３１８６４号
【発明の概要】
【発明が解決しようとする課題】
【００１２】
しかし、上記の特許文献１の毛髪処理装置では、トーションスプリングの弾発力により上側誘導部材と下側誘導部材とで毛髪が挟持される。
【００１３】
このため、毛髪処理装置を毛髪の根本から毛先まで移動させると、毛髪が上側誘導部材と下側誘導部材とで無理に擦過されることになる。従って、表面のキューティクルが剥離するなどの悪影響が毛髪に発生することになる。
【００１４】
本発明は上述のような課題に鑑みてなされたものであり、一般ユーザでも容易に毛髪を均一な層状として無理に擦過することなく処理剤を供給することができる毛髪処理装置を提供するものである。
【課題を解決するための手段】
【００１５】
本発明の毛髪処理装置は、毛髪に処理剤を供給する毛髪処理装置であって、処理剤が収容されている吐出容器が連結される容器連結部材と、容器連結部材から細長形状に中空に形成されていて処理剤の吐出口が形成されている下側誘導部材と、下側誘導部材に対向する細長形状に形成されている上側誘導部材と、上側誘導部材の下面と下側誘導部材の上面との少なくとも一方に櫛歯状またはブラシ状に形成されている複数の毛髪誘導凸部と、上側誘導部材と下側誘導部材とを上下方向に開閉自在に支持する部材開閉機構と、を有し、部材開閉機構で閉止された上側誘導部材の下面または下側誘導部材の上面と複数の毛髪誘導凸部の先端面とが所定間隔を介して対向する。
【００１６】
従って、本発明の毛髪処理装置では、処理剤が収容されている吐出容器に容器連結部材が連結される。容器連結部材から細長形状に中空に形成されている下側誘導部材が形成されている吐出口から処理剤を吐出させる。下側誘導部材に対向する細長形状に上側誘導部材が形成されている。上側誘導部材の下面と下側誘導部材の上面との少なくとも一方に櫛歯状またはブラシ状に複数の毛髪誘導凸部が形成されている。上側誘導部材と下側誘導部材とを部材開閉機構が上下方向に開閉自在に支持する。部材開閉機構で閉止された上側誘導部材の下面または下側誘導部材の上面と複数の毛髪誘導凸部の先端面とが所定間隔を介して対向する。このため、所定間隔を介して離間した複数の毛髪誘導凸部の先端面と上側誘導部材の下面または下側誘導部材の上面とで毛髪が層状に挟持される。
【００１７】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１８】
また、本発明では前後左右上下の方向を規定しているが、これは本発明の構成要素の相対関係を簡単に説明するために便宜的に規定したものであり、本発明を実施する場合の製造時や使用時の方向を限定するものではない。
【００１９】
また、本発明で云う前後左右上下の方向とは、完全に幾何学的に直交している必要はなく、相対的に前後左右上下となる方向となっていればよく、例えば、各方向が任意の方向に傾斜していてもよい。
【００２０】
例えば、本発明で云う上下方向に変位するとは、変位の結果として上下方向に変位した位置に移動することを意味しており、変位の方向そのものが厳密に上下方向である必要はない。
【００２１】
さらに、本発明で云う処理剤とは、例えば、表面染色剤、表面つや出し剤、色素定着剤、毛髪脱色剤など、毛髪に所定の処理を実行する液状やゲル状の各種剤を意味している。
【００２２】
また、本発明で云う複数の毛髪誘導凸部の先端面と上側誘導部材の下面または下側誘導部材の上面とが対向するとは、上側誘導部材の下面に突設されている複数の毛髪誘導凸部の先端面である下面と下側誘導部材の上面とが対向すること、下側誘導部材の上面に突設されている複数の毛髪誘導凸部の先端面である上面と上側誘導部材の下面とが対向すること、上側誘導部材の下面に突設されている複数の毛髪誘導凸部の先端面である下面と下側誘導部材の上面に突設されている複数の毛髪誘導凸部の先端面である上面とが対向すること、の少なくとも一つを意味している。
【００２３】
さらに、本発明で云う複数の毛髪誘導凸部の先端面と上側誘導部材の下面または下側誘導部材の上面とが所定間隔を介して対向するとは、複数の毛髪誘導凸部の先端面と上側誘導部材の下面または下側誘導部材の上面とが非接触に一定の間隔で離間して対向することを意味している。
【００２４】
また、本発明で云う複数の毛髪誘導凸部の先端面からなる仮想面とは、櫛歯状またはブラシ状に離間している複数の毛髪誘導凸部の先端面を連続的に通過すると仮想した一面を意味している。当該仮想面は複数の毛髪誘導凸部の先端面を連設する、先端連設面でもある。
【発明の効果】
【００２５】
本発明の毛髪処理装置では、部材開閉機構で閉止された上側誘導部材の下面または下側誘導部材の上面と複数の毛髪誘導凸部の先端面とが所定間隔を介して対向する。このため、所定間隔を介して離間した複数の毛髪誘導凸部の先端面と上側誘導部材の下面または下側誘導部材の上面とで毛髪が層状に挟持される。従って、トーションスプリングなどにより毛髪が弾発的に挟持されるようなことがないので、処理剤が供給される毛髪の表面が無理に擦過されることを防止できる。
【図面の簡単な説明】
【００２６】
【図１】本発明の実施の第一の形態の毛髪処理装置の外観を示す斜視図であり、(ａ)は上側誘導部材と下側誘導部材とが開口した状態、(ｂ)は上側誘導部材と下側誘導部材とが閉止した状態、である。
【図２】吐出容器が連結された毛髪処理装置の外観を示す斜視図である。
【図３】毛髪処理装置の内部構造を示す縦断側面図である。
【図４】毛髪処理装置で毛髪を挟持する状態を示す縦断正面図である。
【図５】本発明の実施の第二の形態の毛髪処理装置の外観を示す斜視図である。
【図６】毛髪処理装置の外観を示す側面図であり、(ａ)は上側誘導部材と下側誘導部材とが開口した状態、(ｂ)は上側誘導部材と下側誘導部材とが閉止した状態、である。
【図７】毛髪処理装置の外観を示す斜視図であり、(ａ)は上側誘導部材と下側誘導部材とが開口した状態、(ｂ)は上側誘導部材と下側誘導部材とが閉止した状態、である。
【発明を実施するための形態】
【００２７】
本発明の実施の一形態を図１ないし図７を参照して以下に説明する。なお、本実施の形態では、図示するように、前後左右上下の方向を規定して説明するが、これは本実施の形態の構成要素の相対関係を簡単に説明するために便宜的に規定するものであり、本発明を実施する場合の製造時や使用時の方向を限定するものではない。
【００２８】
本実施の形態の毛髪処理装置１００は、例えば、毛髪ＨＩに処理剤を供給する。このため、本実施の形態の毛髪処理装置１００は、図１ないし図４に示すように、毛髪ＨＩに処理剤を供給する毛髪処理装置１００であって、処理剤が収容されている吐出容器ＳＴが連結される容器連結部材１１０と、容器連結部材１１０から細長形状に中空に形成されていて処理剤の吐出口１２１が形成されている下側誘導部材１２０と、下側誘導部材１２０に対向する細長形状に形成されている上側誘導部材１３０と、上側誘導部材１３０の下面１３２と下側誘導部材１２０の上面１２２との少なくとも一方に櫛歯状またはブラシ状に形成されている複数の毛髪誘導凸部１３１（本実施形態では、上側誘導部材１３０の下面に形成）と、上側誘導部材１３０と下側誘導部材１２０とを上下方向に開閉自在に支持する部材開閉機構である板バネ部材１４０と、を有する。
【００２９】
さらに、本実施の形態の毛髪処理装置１００では、閉止される上側誘導部材１３０と下側誘導部材１２０との上下位置を上下規制機構として規制するとともに、左右位置をも左右規制機構として規制する位置規制機構１５０を、さらに有する。
【００３０】
この位置規制機構１５０は、図１に示すように、上側誘導部材１３０の下面１３２または下側誘導部材１２０の上面１２２との一方（本実施形態では上側誘導部材１３０の下面１３２）から突設されている左右規制凸部材１５１を有している。また、位置規制機構１５０は、上側誘導部材１３０の下面１３２または下側誘導部材１２０の上面１２２との一方（本実施形態では下側誘導部材１２０の上面１２２）から突設されていて左右規制凸部材１５１を左右方向から挟持する少なくとも左右一対の凸部挟持部材１５２を有している。左右規制凸部材１５１はスライド自在に凸部挟持部材１５２に挟持されている。左右規制凸部材１５１のスライド方向は上下方向である。
なお、本実施形態において凸部挟持部材１５２が左右一対に設けられているとは、左右規制凸部材１５１を左右両側から挟持する一つ（例えば上面視または前方視でコの字形状の凸部挟持部材）または二つ以上の部材が設けられていることを意味する。また、凸部挟持部材１５２が左右規制凸部材１５１の右側を規制する位置と左側を規制する位置とは、同位置でもよく、または異なる位置でもよい。
【００３１】
なお、下側誘導部材１２０には、先端部分の上面１２２が半円筒状の凹状に形成されており、上側誘導部材１３０には、下側誘導部材１２０の凹状の上面１２２に所定間隔で対向する、半円筒状の凸状に複数の毛髪誘導凸部１３１の先端面１３４からなる仮想面が形成されている。また、位置規制機構１５０の各部の寸法関係により、上面１２２と先端面１３４との上記所定間隔が維持される。
【００３２】
また、下側誘導部材１２０は、図１および図４に示すように、半円筒状の凹状の上面１２２の略中央に処理剤の吐出口１２１が形成されており、上側誘導部材１３０には、下面１３２の吐出口１２１と対向する位置に前後方向に連通する凹溝１３３が形成されている。
【００３３】
さらに、本実施の形態の毛髪処理装置１００では、図１に示すように、下側誘導部材１２０の凹状の上面１２２の前端内面に上側誘導部材１３０の凸部の前端外面が係脱自在に係合する。
【００３４】
このため、下側誘導部材１２０の凹状の上面１２２の前端内面は上方から下方に向かって後方に傾斜した斜面として形成されており、上側誘導部材１３０の凸部の前端外面は凸状の曲面として形成されている。ただし、上側誘導部材１３０の先端部の形状に特に規制はなく、係脱自在に係合できればよい。
【００３５】
下側誘導部材１２０の後部上面には板バネ部材１４０の下端が挿入されるバネ保持部１４１が形成されており、上側誘導部材１３０の後部下面にも板バネ部材１４０の上端が挿入されるバネ保持部１４２が形成されている。
【００３６】
上側誘導部材１３０と下側誘導部材１２０とが閉止されて位置規制機構１５０で上下位置が規制された状態で、板バネ部材１４０は微少に湾曲されており、上側誘導部材１３０と下側誘導部材１２０とを閉止方向に付勢するとともに、上側誘導部材１３０を下側誘導部材１２０の前方に付勢している。
【００３７】
なお、板バネ部材１４０を使用すると、トーションバネと下側誘導部材１２０と上側誘導部材１３０の係合軸の機能を兼ね備えるため部品点数を減らすことができ、組立てが容易でコストダウンにつながる。さらに、板バネ部材１４０の材質、肉厚、及びバネ保持部１４１，１４２の相対位置、角度によって上側誘導部材１３０の付勢力、特性を必要に応じて調整することが出来る。
【００３８】
なお、下側誘導部材１２０の凹状の上面１２２の後方には、毛髪ＨＩの進入を規制する進入防止凸部１６０が突設されている。また、上側誘導部材１３０の上面後部には、手指の滑りを防止する複数の滑止凸部１７０が形成されている。
【００３９】
また、図３に示すように、容器連結部材１１０の吐出容器ＳＴが連結される後部には、逆止弁１１１が形成されている。このため、容器連結部材１１０から吐出容器ＳＴに空気が逆流することが防止される。
【００４０】
上述のような構成において、本実施の形態の毛髪処理装置１００は、例えば、処理剤として表面染色剤を毛髪ＨＩに供給することにより、毛髪ＨＩを層状に部分毛染する。なお、当然ながら、このような部分毛染を全部の毛髪ＨＩに実行すれば、毛髪ＨＩの全部を毛染することもできる。また、処理剤としては、上述の表面染色剤の他、表面つや出し剤、色素定着剤、毛髪脱色剤なども利用できる(図示せず)。
【００４１】
上述のように毛髪ＨＩを部分毛染する場合、図１(ａ)に示すように、下側誘導部材１２０の後部下面と上側誘導部材１３０の後部上面とを手指(図示せず)で挟持して圧縮し、下側誘導部材１２０の先端部分の半円筒状の凹状の上面１２２から、上側誘導部材１３０の先端部分の半円筒状の凸状の毛髪誘導凸部１３１を離間させる。
【００４２】
このような状態で、図４(ａ)に示すように、その隙間に毛髪ＨＩを挿通させ、図４(ｂ)に示すように、板バネ部材１４０の弾発力で下側誘導部材１２０の半円筒状の凹状の上面１２２に上側誘導部材１３０の半円筒状の凸状の毛髪誘導凸部１３１を挿入させる。
【００４３】
このとき、上側誘導部材１３０の毛髪誘導凸部１３１の下面と下側誘導部材１２０の上面１２２とには所定の間隔が形成されるので、毛髪ＨＩが板バネ部材１４０の弾発力で挟持されることはない。
【００４４】
また、毛髪誘導凸部１３１は前後方向に複数が櫛歯状に形成されているので、その隙間にも毛髪ＨＩは挿通される。このような状態で吐出容器ＳＴを手指で押圧すると、処理剤が下側誘導部材１２０の吐出口１２１から吐出される。
【００４５】
なお、本実施の形態で例示する吐出容器ＳＴは、手指で押圧されることで処理剤を吐出する、柔軟なスクイズチューブからなる。ただし、この吐出容器ＳＴはスクイズチューブに限定される必要はなく、詳細は後述する。
【００４６】
このとき、上側誘導部材１３０の毛髪誘導凸部１３１には、吐出口１２１と対向する位置に前後方向に連通する凹溝１３３が形成されているので、ここに処理剤は誘導される。
【００４７】
このような状態で毛髪処理装置１００を毛髪ＨＩの根本から毛先まで移動させると、上側誘導部材１３０の毛髪誘導凸部１３１の下面と下側誘導部材１２０の上面１２２との所定の間隔を移動する毛髪ＨＩおよび、複数の毛髪誘導凸部１３１の隙間を移動する毛髪ＨＩに、処理剤が過不足なく塗布されることになる。そこで、前述のように処理剤が表面染色剤の場合、上述のように毛髪処理装置１００を挿通された毛髪ＨＩを層状に部分毛染することができる。
【００４８】
このとき、上下方向に揺動する上側誘導部材１３０の上下位置が位置規制機構１５０で規制されるので、下側誘導部材１２０の上面１２２と上側誘導部材１３０の毛髪誘導凸部１３１の先端面１３４からなる仮想面とに所定の間隙が確実に確保される。
【００４９】
このため、毛髪ＨＩは板バネ部材１４０の弾発力により挟持されることなく、円滑に上側誘導部材１３０と下側誘導部材１２０との間隙を通過する。特に、下側誘導部材１２０の上面１２２が半円筒状の凹状に形成されており、そこに半円筒状の凸状の毛髪誘導凸部１３１が挿入され、その隙間を毛髪ＨＩが移動するので、この移動が円滑に実行される。
【００５０】
しかも、毛髪誘導凸部１３１は複数の櫛歯状に形成されており、その隙間も毛髪ＨＩが移動する。このため、さらに良好に毛髪ＨＩは上側誘導部材１３０と下側誘導部材１２０との間隙を通過する。
【００５１】
さらに、上側誘導部材１３０は板バネ部材１４０で支持されて下側誘導部材１２０に対向するので、上側誘導部材１３０が下側誘導部材１２０に対して左右方向に変位しにくい。
【００５２】
しかも、上下方向に揺動する上側誘導部材１３０の上下位置と左右位置とが位置規制機構１５０で規制されるので、さらに上側誘導部材１３０が下側誘導部材１２０に対して左右方向に変位しにくい。
【００５３】
このため、上側誘導部材１３０が下側誘導部材１２０に対して左右方向に変位することがなく、毛髪誘導凸部１３１の外側面と下側誘導部材１２０の内側面とで毛髪ＨＩが挟持されることも防止され、毛髪ＨＩの移動が極めて円滑に実行される。
【００５４】
さらに、上側誘導部材１３０の前端外面が下側誘導部材１２０の凹状の上面１２２の前端内面に係脱自在に係合する。このため、上述のように左右方向に位置が規制されている上側誘導部材１３０の位置が前後方向にも規制される。
【００５５】
また、上述のように下側誘導部材１２０の凹状の上面１２２の略中央の吐出口１２１から処理剤が吐出され、この処理剤が上側誘導部材１３０の毛髪誘導凸部１３１の前後方向に連通する凹溝１３３に供給される。
【００５６】
しかも、上側誘導部材１３０の毛髪誘導凸部１３１は櫛歯状に形成されており、その隙間にも処理剤が供給される。このため、下側誘導部材１２０の凹状の上面１２２と上側誘導部材１３０の毛髪誘導凸部１３１との隙間および複数の毛髪誘導凸部１３１の隙間を挿通される毛髪ＨＩに、周囲全体から処理剤が供給される。
【００５７】
また、下側誘導部材１２０の凹状の上面１２２の後方には、毛髪ＨＩの進入を防止する進入防止凸部１６０が突設されている。このため、毛髪ＨＩが毛髪誘導凸部１３１より後方の下側誘導部材１２０と上側誘導部材１３０との隙間に意図せず挿通される毛髪ＨＩを最小限とすることができる。
【００５８】
さらに、上側誘導部材１３０の上面後部には、手指の滑りを防止する複数の滑止凸部１７０が形成されている。このため、処理剤などが付着した手指でも問題なく上側誘導部材１３０を板バネ部材１４０の弾発力に抗して開放することができる。
【００５９】
なお、本発明は上記形態に限定されるものではなく、その要旨を逸脱しない範囲で各種の変形を許容する。例えば、上記形態では下側誘導部材１２０の上面１２２が半円筒状の凹状に形成されており、上側誘導部材１３０の下面１３２に半円筒状の凸状に毛髪誘導凸部１３１が形成されていることを例示した。
【００６０】
しかし、下側誘導部材の上面に半円筒状の凸状に毛髪誘導凸部が形成されており、上側誘導部材の下面が半円筒状の凹状に形成されていてもよい(図示せず)。さらに、このような毛髪誘導凸部が多角筒状の凸状に形成されており、これに対向する上面や下面が多角筒状の凹状に形成されていてもよい(図示せず)。
【００６１】
また、上記形態では下側誘導部材１２０の上面１２２の中央に処理剤の吐出口１２１が形成されており、これと対向する凹溝１３３が上側誘導部材１３０の毛髪誘導凸部１３１に形成されていることを例示した。
【００６２】
しかし、このような凹溝１３３に進入するリブ状部(図示せず)が下側誘導部材１２０の上面１２２の中央に形成されており、その両側に処理剤の吐出口１２１がそれぞれ形成されていてもよい(図示せず)。この場合、上側誘導部材と下側誘導部材との間隙を挿通される毛髪ＨＩが、毛髪誘導凸部１３１とリブ状部とでＷ状に屈曲された状態で処理剤と接触するので、まんべんなく毛髪ＨＩに処理剤を供給することができる。
【００６３】
また、上記形態では位置規制機構１５０が、上側誘導部材１３０の下面１３２から突設されている少なくとも一個の左右規制凸部材１５１と、下側誘導部材１２０の上面１２２から突設されていて左右規制凸部材１５１を左右方向から挟持する少なくとも左右一対の凸部挟持部材１５２と、からなることを例示した。
【００６４】
しかし、左右規制機構が、下側誘導部材１２０の上面１２２から突設されている少なくとも一個の左右規制凸部材と、上側誘導部材１３０の下面１３２から突設されていて左右規制凸部材を左右方向から挟持する少なくとも左右一対の凸部挟持部材と、からなってもよい。当然ながら、上述のような左右規制凸部材および凸部挟持部材が左右方向や前後方向に連設された複数からなってもよい(図示せず)。
【００６５】
また、本実施形態の位置規制機構１５０は、上側誘導部材１３０と下側誘導部材１２０との左右の動きを制限でき、また上側誘導部材１３０と下側誘導部材１２０とが対向した場合の所定間隔を維持できる機構であれば、ピストンとシリンダーとの組み合わせなど他の機構で構成してもよい。
【００６６】
また、上記形態では吐出容器を一重のスクイズチューブとして想定した。しかし、例えば、二重のスクイズチューブとしてもよい。二重容器とすることにより、処理剤が充填されている内側容器を交換するだけで、外側容器を再利用することができる(図示せず)。
【００６７】
さらに、例えば、可撓性外側層と、この外側層に剥離自在に積層された内側層と、で構成され、外側層に空気導入孔を備え、内側層に吐出口を連通してなるスクイズチューブも吐出容器として使用することができる(図示せず)。
【００６８】
このような吐出容器を使用した場合には、あらゆる容器姿勢で処理剤を吐出でき、処理剤の残量が少なくなっても、空気の巻き込みによる処理剤の飛散を防止することができる。
【００６９】
また、スクイズチューブ以外の容器も吐出容器として使用することができる。例えば、筒状に形成された外筒と、外筒に収容され、開口部が外筒の開口部と一体化された内袋と、外筒の開口部とは反対側端部に回転自在に固定された底蓋からなる二重容器を使用することもできる(図示せず)。
【００７０】
さらに、容器体下部内に、容器体の液体減少によって上昇する摺動皿を嵌合させた、ポンプ式の液体注出容器も使用することができる(図示せず)。
【００７１】
つぎに、本発明の実施の第二の形態を図５ないし図７を参照して以下に説明する。ただし、上述の実施の第一の形態と同一の部分は同一の名称および符号を使用して詳細な説明は省略する。
【００７２】
本実施の形態の毛髪処理装置２００では、上側誘導部材２３０の下面２３２と下側誘導部材２２０の上面２２２との両方に複数の毛髪誘導凸部２３１，２２１がそれぞれ離散的に配置されてブラシ状（クシ状）に形成されている。上側誘導部材２３０のうち毛髪誘導凸部２２１と対向する部分には、下方開口した舟形の凹部２３４が形成されている。下面２３２は、凹部２３４の天井面にあたる。
【００７３】
本実施の形態の毛髪処理装置２００でも、上側誘導部材２３０と下側誘導部材２２０とが閉止した状態で、上側誘導部材２３０の複数の毛髪誘導凸部２３１の先端面２３３からなる仮想面が下側誘導部材２２０の上面２２２と所定間隔を介して対向し、下側誘導部材２２０の複数の毛髪誘導凸部２２１の先端面２２３（図７（ａ）を参照）からなる仮想面が上側誘導部材２３０の下面２３２と所定間隔を介して対向する。
【００７４】
なお、図６(ｂ)に示すように、下側誘導部材２２０の毛髪誘導凸部２２１と上側誘導部材２３０の毛髪誘導凸部２３１とは相対しない位置に形成されていて上側誘導部材２３０と下側誘導部材２２０とが閉止された場合に、毛髪誘導凸部２２１、２３１が噛み合う位置に形成されている。さらに、図７に示すように、上側誘導部材２３０の下面２３２には凹部２３４が形成されており、この凹状の下面２３２に毛髪誘導凸部２３１が突設されている。
【００７５】
さらに、この毛髪処理装置２００では、位置規制機構１５０だけでなく、上側誘導部材２３０と下側誘導部材２２０との一方（本実施形態では下側誘導部材２２０）の側面から突設されていて他方（本実施形態では上側誘導部材２３０）の側面を左右方向から挟持する左右一対の側面挟持部材２５１からなる左右規制機構２５０も有している。当該他方（上側誘導部材２３０）の側面はスライド自在に側面挟持部材２５１に挟持されている。上側誘導部材２３０の側面のスライド方向は上下方向である。
【００７６】
この左右規制機構２５０の左右一対の側面挟持部材２５１は、上側誘導部材２３０のと下側誘導部材２２０との毛髪誘導凸部２３１，２２１の後方に形成されているので、前述した進入防止凸部１６０と同様に、毛髪誘導凸部２３１，２２１より後方の下側誘導部材２２０と上側誘導部材２３０との間隙に毛髪ＨＩが進入することを規制することもできる。なお、本実施形態において側面挟持部材２５１が左右一対に設けられているとは、下側誘導部材２２０または上側誘導部材２３０（本実施形態では上側誘導部材２３０）を左右両側から挟持する一つ（例えば上方開口した前方視でコの字形状の側面挟持部材）または二つ以上の部材が設けられていることを意味する。また、側面挟持部材２５１が下側誘導部材２２０または上側誘導部材２３０の右側を規制する位置と左側を規制する位置とは、同位置でもよく、または異なる位置でもよい。
【００７７】
上述のような構成の毛髪処理装置２００では、上側誘導部材２３０の複数の毛髪誘導凸部２３１と下側誘導部材２２０の上面２２２との間隙、下側誘導部材２２０の複数の毛髪誘導凸部２２１と上側誘導部材２３０の下面２３２との間隙、さらには、複数の毛髪誘導凸部２２１，２３１の間隙、を挿通する毛髪ＨＩに処理剤を供給することができる。
【００７８】
この毛髪処理装置２００でも、上述のように上側誘導部材２３０の複数の毛髪誘導凸部２３１と下側誘導部材２２０の上面２２２とに所定の間隙、下側誘導部材２２０の複数の毛髪誘導凸部２２１と上側誘導部材２３０の下面２３２とに所定の間隙、さらには、複数の毛髪誘導凸部２２１，２３１に所定の間隙、が形成されるので、処理剤を供給する毛髪ＨＩを円滑に挿通させることができる。
【００７９】
なお、この毛髪処理装置２００では、上側誘導部材２３０と下側誘導部材２２０との両方に複数の毛髪誘導凸部２２１，２３１が形成されているので、その左右位置は厳密に規制される必要がある。
【００８０】
そして、この毛髪処理装置２００では、上側誘導部材２３０の左右規制凸部材１５１と下側誘導部材２２０の左右一対の凸部挟持部材１５２からなる位置規制機構１５０だけでなく、下側誘導部材１２０の側面から突設されていて上側誘導部材２３０の側面を挟持する左右一対の側面挟持部材２５１からなる左右規制機構２５０も有する。
【００８１】
このため、上側誘導部材２３０と下側誘導部材２２０との左右位置が厳密に規制されることになり、複数の毛髪誘導凸部２２１，２３１の隙間で毛髪ＨＩが挟持されることを良好に防止することができる。
【００８２】
また、この毛髪処理装置２００では、下側誘導部材２２０と上側誘導部材２３０との前端は先細形状に形成されている。このため、毛髪ＨＩに下側誘導部材２２０と上側誘導部材２３０との前端を円滑に挿入することができる（当該先細形状に関しては、上述の実施の第一の形態にも適用することができる）。
【００８３】
なお、本発明は上記形態にも限定されるものではなく、その要旨を逸脱しない範囲で各種の変形を許容する。例えば、上記形態では上側誘導部材２３０の下面２３２と下側誘導部材２２０の上面２２２との両方に毛髪誘導凸部２３１，２２１が形成されていることを例示した。
【００８４】
しかし、上側誘導部材２３０の下面２３２と下側誘導部材２２０の上面２２２とのいずれか一方に毛髪誘導凸部が形成されていてもよい。また、上記形態では毛髪誘導凸部２３１，２２１がブラシ状に形成されていることを例示した。しかし、このような毛髪誘導凸部が櫛歯状に形成されていてもよい(図示せず)。
【００８５】
また、上記形態では上側誘導部材２３０の下面２３２が凹状に形成されていることを例示した。しかし、下側誘導部材２２０の上面が凹状に形成されていてもよい(図示せず)。
【００８６】
なお、当然ながら、上述した複数の実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８７】
１００  毛髪処理装置
１１０  容器連結部材
１１１  逆止弁
１２０  下側誘導部材
１２１  吐出口
１２２  上面
１３０  上側誘導部材
１３１  毛髪誘導凸部
１３２  下面
１３３  凹溝
１３４  先端面
１４０  部材開閉機構（板バネ部材）
１４１  バネ保持部
１４２  バネ保持部
１５０  上下規制機構、左右規制機構（位置規制機構）
１５１  左右規制凸部材
１５２  凸部挟持部材
１６０  進入防止凸部
１７０  滑止凸部
２００  毛髪処理装置
２２０  下側誘導部材
２２１  毛髪誘導凸部
２２２  上面
２２３  先端面
２３０  上側誘導部材
２３１  毛髪誘導凸部
２３２  下面
２３３  先端面
２３４  凹部
２５０  左右規制機構
２５１  側面挟持部材
ＨＩ  毛髪
ＳＴ  吐出容器
【図１】
2012139349.tif 000003
【図２】
2012139349.tif 000004
【図３】
2012139349.tif 000005
【図４】
2012139349.tif 000006
【図５】
2012139349.tif 000007
【図６】
2012139349.tif 000008
【図７】
2012139349.tif 000009